(57)【要約】  本発明は無線通信システムに関し、より詳しくは、無線通信システムにおいて反映式ＱｏＳ(Ｑｕａｌｉｔｙ ｏｆ Ｓｅｒｖｉｃｅ)を行う方法及びそのための装置に関する。この方法は、ネットワークから、第１ＤＲＢ(データ無線ベアラ:Ｄａｔａ ｒａｄｉｏ ｂｅａｒｅｒ)識別子(ＩＤ)を有するＤＬデータ無線ベアラ(ＤＲＢ)を介して下りリンク(ＤＬ)トラフィックを受信する段階であって、前記ＤＬトラフィックは、上りリンク(ＵＬ)に対するＡＳ(Ａｃｃｅｓｓ Ｓｔｒａｔｕｍ)マッピング規則のアップデートを行うか否かを示す第１指標(ｉｎｄｉｃａｔｉｏｎ)、及びＵＬに対するＮＡＳ(Ｎｏｎ Ａｃｃｅｓｓ Ｓｔｒａｔｕｍ)反映式(ｒｅｆｌｅｃｔｉｖｅ)ＱｏＳ(ｑｕａｌｉｔｙ ｏｆ Ｓｅｒｖｉｃｅ)規則のアップデートを行うか否かを示す第２指標を含む、前記ＤＬトラフィックを受信する段階と、前記第１指標及び第２指標により前記ＵＬに対するＡＳマッピング規則のアップデート又は前記ＵＬに対するＮＡＳ反映式ＱｏＳ規則のアップデートを行う段階を含む。【選択図】図９
2020507976.tif 000002
【特許請求の範囲】
【請求項１】
無線通信システムで動作するユーザ端末(ＵＥ：ｕｓｅｒ ｅｑｕｉｐｍｅｎｔ)により行われる方法において、
ネットワークから、第１ＤＲＢ(データ無線ベアラ:Ｄａｔａ ｒａｄｉｏ ｂｅａｒｅｒ)識別子(ＩＤ)を有するＤＬデータ無線ベアラ(ＤＲＢ)を介して下りリンク(ＤＬ)トラフィックを受信する段階であって、
前記ＤＬトラフィックは、上りリンク(ＵＬ)に対するＡＳ(Ａｃｃｅｓｓ Ｓｔｒａｔｕｍ)マッピング規則のアップデートを行うか否かを示す第１指標(ｉｎｄｉｃａｔｉｏｎ)、及びＵＬに対するＮＡＳ(Ｎｏｎ Ａｃｃｅｓｓ Ｓｔｒａｔｕｍ)反映式(ｒｅｆｌｅｃｔｉｖｅ)ＱｏＳ(ｑｕａｌｉｔｙ ｏｆ Ｓｅｒｖｉｃｅ)規則のアップデートを行うか否かを示す第２指標を含む、前記ＤＬトラフィックを受信する段階と、
前記第１指標及び第２指標により前記ＵＬに対するＡＳマッピング規則のアップデート又は前記ＵＬに対するＮＡＳ反映式ＱｏＳ規則のアップデートを行う段階を含み、
前記ＵＬに対するＡＳマッピング規則のアップデートが前記第１指標が１に設定されることにより行われる場合、第１ＱｏＳフロー(ｆｌｏｗ)ＩＤを有する上りリンクＱｏＳフローにマッピングされた上りリンクＤＲＢは前記第１ＤＲＢ ＩＤを有する上りリンクＤＲＢに設定され、
前記ＵＬに対するＮＡＳ反映式ＱｏＳ規則のアップデートが前記第２指標が１に設定されることにより行われる場合、前記ＤＬトラフィックの第１ＩＰ(Ｉｎｔｅｒｎｅｔ ｐｒｏｔｏｃｏｌ)フローＩＤを有するＵＬ ＩＰフローにマッピングされたＵＬ ＱｏＳフローは前記第１ＱｏＳフローＩＤを有するＵＬ ＱｏＳフローに設定される、ＵＥにより行われる方法。
【請求項２】
前記第１指標又は前記第２指標のうちのいずれか１つが'１'に設定されると、前記ＤＬトラフィックは反映式ＱｏＳのための第１ＱｏＳフローＩＤを含む、請求項１に記載のＵＥにより行われる方法。
【請求項３】
前記第１指標及び前記第２指標が全て'０'に設定されると、前記ＤＬトラフィックは反映式ＱｏＳのための第１ＱｏＳフローＩＤを含まない、請求項１に記載のＵＥにより行われる方法。
【請求項４】
前記第１指標が'０'に設定されると、前記ＵＬに対するＡＳマッピング規則のアップデートは行われない、請求項１に記載のＵＥにより行われる方法。
【請求項５】
前記第２指標が'０'に設定されると、前記ＵＬに対するＮＡＳ反映式ＱｏＳ規則のアップデートは行われない、請求項１に記載のＵＥにより行われる方法。
【請求項６】
前記第１指標と前記第２指標はＳＤＡＰ(Ｓｅｒｖｉｃｅ Ｄａｔａ Ａｄａｐｔａｔｉｏｎ Ｐｒｏｔｏｃｏｌ)ＰＤＵ(Ｐｒｏｔｏｃｏｌ Ｄａｔａ Ｕｎｉｔ)のヘッダ内に含まれる、請求項１に記載のＵＥにより行われる方法。
【請求項７】
前記ＤＬ ＳＤＡＰ ＰＤＵは前記ＵＥのＰＤＣＰ(Ｐａｃｋｅｔ Ｄａｔａ Ｃｏｎｖｅｒｇｅｎｃｅ Ｐｒｏｔｏｃｏｌ)エンティティより上位階層であるＳＤＡＰエンティティに対するＰＤＵである、請求項６に記載のＵＥにより行われる方法。
【請求項８】
上位階層からの第１ＩＰフローを有する上りリンクパケットを受信する段階と、
前記ＵＬに対するＮＡＳ反映式ＱｏＳ規則のアップデートが前記第２指標が１に設定されることにより行われる場合、前記上りリンクパケットにおいて、前記第１ＩＰフローにマッピングされた前記第１ＱｏＳフローのＱｏＳフローＩＤをマーキングする段階と、
前記ＵＬに対するＡＳマッピング規則のアップデートが前記第１指標が１に設定されることにより行われる場合、前記第１ＱｏＳフローＩＤにマッピングされた第１ＤＲＢを介して前記ＵＬパケットを前記ネットワークに送信する段階を含む、請求項１に記載のＵＥにより行われる方法。
【請求項９】
無線通信システムで動作するユーザ端末(ＵＥ)であって、
無線周波数(ＲＦ)モジュールと、
前記ＲＦモジュールと動作可能に結合されたプロセッサを含み、
前記プロセッサは、
ネットワークから、第１ＤＲＢ(データ無線ベアラ：Ｄａｔａ ｒａｄｉｏ ｂｅａｒｅｒ)識別子(ＩＤ)を有するＤＬデータ無線ベアラ(ＤＲＢ)を介して下りリンク(ＤＬ)トラフィックを受信する動作であって、
前記ＤＬトラフィックは、上りリンク(ＵＬ)に対するＡＳ(Ａｃｃｅｓｓ Ｓｔｒａｔｕｍ)マッピング規則のアップデートを行うか否かを示す第１指標(ｉｎｄｉｃａｔｉｏｎ)、及びＵＬに対するＮＡＳ(Ｎｏｎ Ａｃｃｅｓｓ Ｓｔｒａｔｕｍ)反映式(ｒｅｆｌｅｃｔｉｖｅ)ＱｏＳ(ｑｕａｌｉｔｙ ｏｆ Ｓｅｒｖｉｃｅ)規則のアップデートを行うか否かを示す第２指標を含む、前記ＤＬトラフィックを受信する動作と、
前記第１指標及び第２指標によって前記ＵＬに対するＡＳマッピング規則のアップデート又は前記ＵＬに対するＮＡＳ反映式ＱｏＳ規則のアップデートを行う動作を行うように構成され、
前記ＵＬに対するＡＳマッピング規則のアップデートが前記第１指標が１に設定されることにより行われる場合、第１ＱｏＳフロー(ｆｌｏｗ)ＩＤを有する上りリンクＱｏＳフローにマッピングされた上りリンクＤＲＢは前記第１ＤＲＢ ＩＤを有する上りリンクＤＲＢに設定され、
前記ＵＬに対するＮＡＳ反映式ＱｏＳ規則のアップデートが前記第２指標が１に設定されることにより行われる場合、前記ＤＬトラフィックの第１ＩＰ(Ｉｎｔｅｒｎｅｔ ｐｒｏｔｏｃｏｌ)フローＩＤを有するＵＬ ＩＰフローにマッピングされたＵＬ ＱｏＳフローは前記第１ＱｏＳフローＩＤを有するＵＬ ＱｏＳフローに設定される、ＵＥ。
【請求項１０】
前記第１指標又は前記第２指標のうちのいずれか１つが'１'に設定されると、前記ＤＬトラフィックは反映式ＱｏＳのための第１ＱｏＳフローＩＤを含む、請求項９に記載のＵＥ。
【請求項１１】
前記第１指標及び前記第２指標が全て'０'に設定されると、前記ＤＬトラフィックは反映式ＱｏＳのための第１ＱｏＳフローＩＤを含まない、請求項９に記載のＵＥ。
【請求項１２】
前記第１指標が'０'に設定されると、前記ＵＬに対するＡＳマッピング規則のアップデートは行われない、請求項９に記載のＵＥ。
【請求項１３】
前記第２指標が'０'に設定されると、前記ＵＬに対するＮＡＳ反映式ＱｏＳ規則のアップデートは行われない、請求項９に記載のＵＥ。
【請求項１４】
前記第１指標と前記第２指標はＳＤＡＰ(Ｓｅｒｖｉｃｅ Ｄａｔａ Ａｄａｐｔａｔｉｏｎ Ｐｒｏｔｏｃｏｌ)ＰＤＵ(Ｐｒｏｔｏｃｏｌ Ｄａｔａ Ｕｎｉｔ)のヘッダ内に含まれる、請求項９に記載のＵＥ。
【請求項１５】
前記ＤＬ ＳＤＡＰ ＰＤＵは前記ＵＥのＰＤＣＰ(Ｐａｃｋｅｔ Ｄａｔａ Ｃｏｎｖｅｒｇｅｎｃｅ Ｐｒｏｔｏｃｏｌ)エンティティより上位階層であるＳＤＡＰエンティティに対するＰＤＵである、請求項１４に記載のＵＥ。
【請求項１６】
前記プロセッサはさらに、
上位階層からの第１ＩＰフローを有する上りリンクパケットを受信する動作と、
前記ＵＬに対するＮＡＳ反映式ＱｏＳ規則のアップデートが前記第２指標が１に設定されることにより行われる場合、前記上りリンクパケットにおいて、前記第１ＩＰフローにマッピングされた前記第１ＱｏＳフローのＱｏＳフローＩＤをマーキングする動作と、
前記ＵＬに対するＡＳマッピング規則のアップデートが前記第１指標が１に設定されることにより行われる場合、前記第１ＱｏＳフローＩＤにマッピングされた第１ＤＲＢを介して前記ＵＬパケットを前記ネットワークに送信する動作を行うように構成された、請求項９に記載のＵＥ。
【発明の詳細な説明】
【技術分野】
【０００１】
本発明は無線通信システムに関し、より詳しくは、無線通信システムにおいて反映式ＱｏＳ(Ｑｕａｌｉｔｙ ｏｆ Ｓｅｒｖｉｃｅ)を行う方法及びそのための装置に関する。
【背景技術】
【０００２】
本発明を適用できる無線通信システムの一例として、３ＧＰＰ ＬＴＥ(３ｒｄ Ｇｅｎｅｒａｔｉｏｎ Ｐａｒｔｎｅｒｓｈｉｐ Ｐｒｏｊｅｃｔ Ｌｏｎｇ Ｔｅｒｍ Ｅｖｏｌｕｔｉｏｎ；以下、「ＬＴＥ」という)通信システムについて概略的に説明する。
【０００３】
図１は、無線通信システムの一例として、Ｅ―ＵＭＴＳ網の構造を概略的に示した図である。Ｅ―ＵＭＴＳ(Ｅｖｏｌｖｅｄ Ｕｎｉｖｅｒｓａｌ Ｍｏｂｉｌｅ Ｔｅｌｅｃｏｍｍｕｎｉｃａｔｉｏｎｓ Ｓｙｓｔｅｍ)は、既存のＵＭＴＳ(Ｕｎｉｖｅｒｓａｌ Ｍｏｂｉｌｅ Ｔｅｌｅｃｏｍｍｕｎｉｃａｔｉｏｎｓ Ｓｙｓｔｅｍ)から進化したシステムであって、現在、３ＧＰＰで基礎的な標準化作業を進めている。一般に、Ｅ―ＵＭＴＳは、ＬＴＥ(Ｌｏｎｇ Ｔｅｒｍ Ｅｖｏｌｕｔｉｏｎ)システムと称することもできる。ＵＭＴＳ及びＥ―ＵＭＴＳの技術規格(ｔｅｃｈｎｉｃａｌ ｓｐｅｃｉｆｉｃａｔｉｏｎ)の詳細な内容は、それぞれ「３ｒｄ Ｇｅｎｅｒａｔｉｏｎ Ｐａｒｔｎｅｒｓｈｉｐ Ｐｒｏｊｅｃｔ；Ｔｅｃｈｎｉｃａｌ Ｓｐｅｃｉｆｉｃａｔｉｏｎ Ｇｒｏｕｐ Ｒａｄｉｏ Ａｃｃｅｓｓ Ｎｅｔｗｏｒｋ」のＲｅｌｅａｓｅ ７とＲｅｌｅａｓｅ ８を参照することができる。
【０００４】
図１を参照すると、Ｅ―ＵＭＴＳは、端末(Ｕｓｅｒ Ｅｑｕｉｐｍｅｎｔ；ＵＥ)、基地局(ｅＮｏｄｅ Ｂ；ｅＮＢ)、及びネットワーク(Ｅ―ＵＴＲＡＮ)の終端に位置し、外部ネットワークと接続される接続ゲートウェイ(Ａｃｃｅｓｓ Ｇａｔｅｗａｙ；ＡＧ)を含む。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．２５Ｍｈｚ、２．５Ｍｈｚ、５Ｍｈｚ、１０Ｍｈｚ、１５Ｍｈｚ、２０Ｍｈｚなどの帯域幅のうち一つに設定され、多くの端末に下りリンク又は上りリンク送信サービスを提供する。互いに異なるセルは、互いに異なる帯域幅を提供するように設定することができる。基地局は、多数の端末に対するデータ送受信を制御する。下りリンク(Ｄｏｗｎｌｉｎｋ；ＤＬ)データに対して、基地局は、下りリンクスケジューリング情報を送信し、該当の端末にデータが送信される時間／周波数領域、符号化、データサイズ、ＨＡＲＱ(Ｈｙｂｒｉｄ Ａｕｔｏｍａｔｉｃ Ｒｅｐｅａｔ ａｎｄ ｒｅＱｕｅｓｔ)関連情報などを知らせる。また、上りリンク(Ｕｐｌｉｎｋ；ＵＬ)データに対して、基地局は、上りリンクスケジューリング情報を該当の端末に送信し、該当の端末が使用可能な時間／周波数領域、符号化、データサイズ、ＨＡＲＱ関連情報などを知らせる。各基地局間には、ユーザトラフィック又は制御トラフィックの送信のためのインターフェースを使用することができる。核心網(Ｃｏｒｅ Ｎｅｔｗｏｒｋ；ＣＮ)は、ＡＧ及び端末のユーザ登録などのためのネットワークノードなどで構成することができる。ＡＧは、複数のセルで構成されるＴＡ(Ｔｒａｃｋｉｎｇ Ａｒｅａ)単位で端末の移動性を管理する。
【０００６】
無線通信技術は、ＷＣＤＭＡに基づいてＬＴＥまで開発されてきたが、ユーザと事業者の要求と期待は持続的に増加している。また、他の無線接続技術が継続して開発されているので、今後、競争力を有するためには新たな技術進化が要求され、ビット当たりの費用減少、サービス可用性増大、融通性のある周波数バンドの使用、単純構造と開放型インターフェース、端末の適切なパワー消耗などが要求される。
【発明の概要】
【発明が解決しようとする課題】
【０００７】
上記問題を解決するための本発明の目的は、無線通信システムにおいて反映式サービス品質(ＱｏＳ)を行うための方法及びそのための装置を提供することにある。
【０００８】
本発明で遂げようとする技術的目的は、以上で言及した事項に制限されず、言及していない他の技術的課題は、以下に説明する本発明の実施例から、本発明の属する技術の分野における通常の知識を有する者にとって考慮されてもよい。
【課題を解決するための手段】
【０００９】
本発明の前記目的は請求範囲に記載したような無線通信システムにおける使用者端末(ＵＥ)の動作方法を提供することによって達成できる。
【００１０】
本発明の他の態様において、請求範囲に記載したような通信装置が提供される。
【００１１】
前記一般的な説明と以下の本発明の詳細な説明はいずれも例示的なもので、特許請求範囲に記載したような本発明をより詳細に説明するためのものである。
【発明の効果】
【００１２】
本発明では、ＮＡＳ−レベル反映式ＱｏＳ活性化及びＡＳ−レベル反映式ＱｏＳ活性化に対する各々の指標(ｉｎｄｉｃａｔｉｏｎ)を受信することにより、ＵＬ ＡＳマッピング規則及び／又はＵＬ ＮＡＳマッピング規則のアップデートを行うことが提案される。
【００１３】
本発明から得られる効果は、以上で言及した効果に制限されず、言及していない他の効果は、下の記載及び参照された図面から、本発明の属する技術の分野における通常の知識を有する者に明確に理解されるであろう。
【図面の簡単な説明】
【００１４】
本明細書に添付する図面は、本発明に関する理解を提供するためのものであり、本発明の様々な実施の形態を示し、明細書の記載と共に本発明の原理を説明するためのものである。
【００１５】
【図１】無線通信システムの一例であり、Ｅ―ＵＭＴＳネットワーク構造を概略的に示す図である。
【図２Ａ】は、Ｅ―ＵＴＲＡＮ(Ｅｖｏｌｖｅｄ―Ｕｎｉｖｅｒｓａｌ Ｔｅｒｒｅｓｔｒｉａｌ Ｒａｄｉｏ Ａｃｃｅｓｓ Ｎｅｔｗｏｒｋ)構造を示すブロック図である。
【図２Ｂ】一般的なＥ―ＵＴＲＡＮとＥＰＣの構造を示すブロック図である。
【図３】３ＧＰＰ無線接続網規格に基づく端末とＥ―ＵＴＲＡＮとの間における無線インタフェースプロトコル(Ｒａｄｉｏ Ｉｎｔｅｒｆａｃｅ Ｐｒｏｔｏｃｏｌ)のコントロールプレーン(Ｃｏｎｔｒｏｌ Ｐｌａｎｅ)及びユーザプレーン(Ｕｓｅｒ Ｐｌａｎｅ)の構造を示す図である。
【図４ａ】ＮＧ無線アクセスネットワーク(ＮＧ−ＲＡＮ)アーキテクチャのネットワーク構造を示すブロック図である。
【図４ｂ】ＮＧ−ＲＡＮと５Ｇコアネットワーク(５ＧＣ)の間の機能的分割アーキテクチャを説明するブロック図である。
【図５】３ＧＰＰ(３ｒｄ ｇｅｎｅｒａｔｉｏｎ ｐａｒｔｎｅｒｓｈｉｐ ｐｒｏｊｅｃｔ)無線アクセスネットワーク標準に基づくＵＥとＮＧ−ＲＡＮの間の無線インタフェースプロトコルの制御平面及びユーザ平面を示す図である。
【図６】ＵＥとＮＧ−ＲＡＮの間のＬ２データフローに関する一例である。
【図７】ＱｏＳフローに関する分類及びユーザ平面マーキング及びＮＧ−ＲＡＮリソースへのマッピングのための図である。
【図８】５Ｇ Ｑｏｓモデルに関する概念図である。
【図９】本発明の実施例による無線通信システムにおいて反映式サービス品質(ＱｏＳ)を行うための概念図である。
【図１０】ＤＬ ＳＤＡＰ ＰＤＵのフォーマットに関する一例である。
【図１１】ＤＬ ＳＤＡＰヘッダのフォーマットに関する一例である。
【図１２】本発明の実施例によってＮＡＳレベル反映式ＱｏＳ及びＡＳレベル反映式ＱｏＳが活性された例を示す図である。
【図１３】本発明の実施例によってＮＡＳレベル反映式ＱｏＳ及びＡＳレベル反映式ＱｏＳが活性された例を示す図である。
【図１４】本発明の実施例によってＮＡＳレベル反映式ＱｏＳ及びＡＳレベル反映式ＱｏＳが活性されなかった例を示す図である。
【図１５】本発明の実施例によってＮＡＳレベル反映式ＱｏＳ及びＡＳレベル反映式ＱｏＳが活性されなかった例を示す図である。
【図１６】本発明の実施例によってただＮＡＳレベル反映式ＱｏＳのみが活性された例を示す図である。
【図１７】本発明の実施例によってただＮＡＳレベル反映式ＱｏＳのみが活性された例を示す図である。
【図１８】本発明の実施例によってただＡＳレベル反映式ＱｏＳのみが活性された例を示す図である。
【図１９】本発明の実施例によってただＡＳレベル反映式ＱｏＳのみが活性された例を示す図である。
【図２０】本発明の実施例に係る通信装置を示すブロック図である。
【発明を実施するための形態】
【００１６】
ＵＭＴＳ(Ｕｎｉｖｅｒｓａｌ Ｍｏｂｉｌｅ Ｔｅｌｅｃｏｍｍｕｎｉｃａｔｉｏｎ Ｓｙｓｔｅｍ)は、ヨーロッパシステム、ＧＳＭ(Ｇｌｏｂａｌ ｓｙｓｔｅｍ ｆｏｒ ｍｏｂｉｌｅ ｃｏｍｍｕｎｉｃａｔｉｏｎ)、及びＧＰＲＳ(Ｇｅｎｅｒａｌ Ｐａｃｋｅｔ Ｒａｄｉｏ Ｓｅｒｖｉｃｅ)に基盤したＷＣＤＭＡ(Ｗｉｄｅｂａｎｄ Ｃｏｄｅ Ｄｉｖｉｓｉｏｎ Ｍｕｌｔｉｐｌｅ Ａｃｃｅｓｓ)で動作する３世代(３ｒｄ Ｇｅｎｅｒａｔｉｏｎ、３Ｇ)非対称移動通信システムである。ＵＭＴＳのＬＴＥ(Ｌｏｎｇ―Ｔｅｒｍ Ｅｖｏｌｕｔｉｏｎ)は、ＵＭＴＳを規格化する３ＧＰＰによって議論中にある。
【００１７】
３ＧＰＰ ＬＴＥは、高速パケット通信を可能にする技術である。ユーザ及び提供者の費用を減少させ、サービス品質を改善し、カバレッジ(ｃｏｖｅｒａｇｅ)及びシステム容量を拡張及び改善することを目的とするＬＴＥ課題のための多くの方法が提案された。３Ｇ ＬＴＥは、上位―レベル要求であって、ビット(ｂｉｔ)当たりの費用減少、増加したサービス可用性、周波数帯域の柔軟性、単純な構造、開放型インターフェース、及び端末の適切な電力消耗を要求する。
【００１８】
以下で、添付の図面を参照して説明した本発明の各実施例により、本発明の構成、作用及び他の特徴が容易に理解され得るだろう。以下で説明する各実施例は、本発明の技術的特徴が３ＧＰＰシステムに適用された各例である。
【００１９】
本明細書は、ＬＴＥシステム及びＬＴＥ―Ａシステムを用いて本発明の各実施例を説明するが、これは例示に過ぎない。したがって、本発明の各実施例は、前記定義に該当するいずれの通信システムにも適用することができる。また、本明細書は、ＦＤＤ方式を基準にして本発明の実施例に対して説明するが、これは例示であって、本発明の実施例は、Ｈ―ＦＤＤ方式又はＴＤＤ方式にも容易に変形して適用することができる。
【００２０】
図２Ａは、Ｅ―ＵＴＲＡＮ(Ｅｖｏｌｖｅｄ―Ｕｎｉｖｅｒｓａｌ Ｔｅｒｒｅｓｔｒｉａｌ Ｒａｄｉｏ Ａｃｃｅｓｓ Ｎｅｔｗｏｒｋ)網構造を示すブロック図である。Ｅ―ＵＭＴＳは、ＬＴＥシステムと称することもできる。通信網は、ＩＭＳ及びパケットデータを通じたＶｏＩＰ(Ｖｏｉｃｅ ｏｖｅｒ ＩＰ)などの多様なサービスを提供するために広く配置される。
【００２１】
図２Ａに示したように、Ｅ―ＵＭＴＳ網は、Ｅ―ＵＴＲＡＮ(ｅｖｏｌｖｅｄ ＵＭＴＳ ｔｅｒｒｅｓｔｒｉａｌ ｒａｄｉｏ ａｃｃｅｓｓ ｎｅｔｗｏｒｋ)、ＥＰＣ(Ｅｖｏｌｖｅｄ Ｐａｃｋｅｔ Ｃｏｒｅ)、及び一つ以上の端末を含む。Ｅ―ＵＴＲＡＮは、一つ以上のｅＮＢ(ｅｖｏｌｖｅｄ ＮｏｄｅＢ)２０を含むことができ、複数の端末１０が一つのセルに位置することができる。一つ以上のＥ―ＵＴＲＡＮ ＭＭＥ(Ｍｏｂｉｌｉｔｙ Ｍａｎａｇｅｍｅｎｔ Ｅｎｔｉｔｙ)／ＳＡＥ(Ｓｙｓｔｅｍ Ａｒｃｈｉｔｅｃｔｕｒｅ Ｅｖｏｌｕｔｉｏｎ)ゲートウェイ３０は、ネットワークの終端に位置し、外部ネットワークに接続することもできる。
【００２２】
本明細書において、「下りリンク(ｄｏｗｎｌｉｎｋ)」は、ｅＮＢ２０から端末１０への通信を称し、「上りリンク(ｕｐｌｉｎｋ)」は、端末１０からｅＮＢ２０への通信を称する。端末１０は、ユーザによって運搬される通信装備を称し、また、移動局(Ｍｏｂｉｌｅ Ｓｔａｔｉｏｎ、ＭＳ)、ユーザ端末(Ｕｓｅｒ Ｔｅｒｍｉｎａｌ、ＵＴ)、加入者ステーション(Ｓｕｂｓｃｒｉｂｅｒ Ｓｔａｔｉｏｎ、ＳＳ)又は無線デバイスと称することもできる。
【００２３】
図２Ｂは、一般的なＥ―ＵＴＲＡＮと一般的なＥＰＣの構造を示すブロック図である。
【００２４】
図２Ｂに示したように、ｅＮＢ２０は、ユーザプレーン及びコントロールプレーンのエンドポイント(ｅｎｄ ｐｏｉｎｔ)をＵＥ１０に提供する。ＭＭＥ／ＳＡＥゲートウェイ３０は、セッション及び移動性管理機能のエンドポイントをＵＥ１０に提供する。ｅＮＢ２０及びＭＭＥ／ＳＡＥゲートウェイ３０は、Ｓ１インターフェースを介して接続することができる。
【００２５】
ｅＮＢ２０は、一般にＵＥ１０と通信する固定局であって、基地局(ＢＳ)又はアクセスポイント(ａｃｃｅｓｓ ｐｏｉｎｔ)と称することもある。一つのｅＮＢ２０はセルごとに配置することができる。ユーザトラフィック又は制御トラフィックを送信するためのインターフェースをｅＮＢ２０間で使用することができる。
【００２６】
ＭＭＥは、ｅＮＢ２０に対するＮＡＳシグナリング、ＮＡＳシグナリング保安、ＡＳ保安制御、３ＧＰＰ接続ネットワーク間の移動性のためのインター(ｉｎｔｅｒ)ＣＮノードシグナリング、(ページング再送信の制御及び実行を含む)遊休モード(ｉｄｌｅ ｍｏｄｅ)ＵＥ接近性(Ｒｅａｃｈａｂｉｌｉｔｙ)、(遊休モード及び活性モード(ａｃｔｉｖｅ ｍｏｄｅ)のＵＥのための)トラッキング領域リスト管理、ＰＤＮ ＧＷ及びサービングＧＷ選択、ＭＭＥ変化が伴うハンドオーバーのためのＭＭＥ選択、２Ｇ又は３Ｇ ３ＧＰＰ接続ネットワークへのハンドオーバーのためのＳＧＳＮ選択、ローミング、認証、専用ベアラ設定を含むベアラ管理、(ＥＴＷＳ及びＣＭＡＳを含む)ＰＷＳメッセージ送信のためのサポートを含む多様な機能を行う。ＳＡＥゲートウェイホストは、パー―ユーザ(Ｐｅｒ―ｕｓｅｒ)ベースのパケットフィルタリング(例えば、深層パケット検査を使用)、適法なインターセプション(Ｌａｗｆｕｌ Ｉｎｔｅｒｃｅｐｔｉｏｎ)、ＵＥ ＩＰアドレス割り当て、下りリンクでの送信(Ｔｒａｎｓｐｏｒｔ)レベルパケットマーキング、ＵＬ及びＤＬサービスレベル課金、ゲーティング及びレート強化、ＡＰＮ―ＡＭＢＲに基づいたＤＬレート強化を含む多様な機能を提供する。ＭＭＥ／ＳＡＥゲートウェイ３０は、明確性のために、本明細書で単純に「ゲートウェイ」と称する。しかし、ＭＭＥ／ＳＡＥゲートウェイ３０は、ＭＭＥ及びＳＡＥゲートウェイの両者を全て含む。
【００２７】
複数のノードは、ｅＮＢ２０とゲートウェイ３０との間でＳ１インターフェースを介して接続することができる。各ｅＮＢ２０は、Ｘ２インターフェースを介して相互接続することができ、各隣接ｅＮＢは、Ｘ２インターフェースを有するメッシュネットワーク構造(ｍｅｓｈｅｄ ｎｅｔｗｏｒｋ ｓｔｒｕｃｔｕｒｅ)を有することができる。
【００２８】
図２Ｂに示したように、ｅＮＢ２０は、ゲートウェイ３０に対する選択、無線リソース制御(Ｒａｄｉｏ Ｒｅｓｏｕｒｃｅ Ｃｏｎｔｒｏｌ、ＲＲＣ)活性化の間、ゲートウェイに向かうルーティング、ページングメッセージのスケジューリング及び送信、ブロードキャストチャネル(ＢＣＣＨ)情報のスケジューリング及び送信、上りリンク及び下りリンクの全てにおける各ＵＥ１０のための動的リソース割り当て、ｅＮＢ測定の構成及び準備、無線ベアラ制御、無線承認制御(Ｒａｄｉｏ Ａｄｍｉｓｓｉｏｎ Ｃｏｎｔｒｏｌ、ＲＡＣ)、及びＬＴＥ＿ＡＣＴＩＶＥ状態での接続移動性制御などの各機能を行うことができる。ＥＰＣにおいて、ゲートウェイ３０は、ページング発信、ＬＴＥ＿ＩＤＬＥ状態管理、ユーザプレーン暗号化、システム構造エボリューション(Ｓｙｓｔｅｍ Ａｒｃｈｉｔｅｃｔｕｒｅ Ｅｖｏｌｕｔｉｏｎ、ＳＡＥ)ベアラ制御、及び非―接続層(Ｎｏｎ―Ａｃｃｅｓｓ Ｓｔｒａｔｕｍ、ＮＡＳ)シグナリングの暗号化及び無欠性保護などの各機能を行うことができる。
【００２９】
ＥＰＣは、移動性管理エンティティ(Ｍｏｂｉｌｉｔｙ Ｍａｎａｇｅｍｅｎｔ Ｅｎｔｉｔｙ、ＭＭＥ)、サービング―ゲートウェイ(ｓｅｒｖｉｎｇ―ｇａｔｅｗａｙ、Ｓ―ＧＷ)、及びパケットデータネットワーク―ゲートウェイ(Ｐａｃｋｅｔ Ｄａｔａ Ｎｅｔｗｏｒｋ―Ｇａｔｅｗａｙ、ＰＤＮ―ＧＷ)を含む。ＭＭＥは、主に各端末の移動性を管理する目的で用いられる接続及び可用性に対する情報を有する。Ｓ―ＧＷは、Ｅ―ＵＴＲＡＮを終端点として有するゲートウェイで、ＰＤＮ―ＧＷは、パケットデータネットワーク(ＰＤＮ)を終端点として有するゲートウェイである。
【００３０】
図３は、３ＧＰＰ無線接続網規格に基づく端末とＥ―ＵＴＲＡＮとの間の無線インタフェースプロトコルのコントロールプレーン及びユーザプレーンの構造を示す図である。コントロールプレーンは、端末(Ｕｓｅｒ Ｅｑｕｉｐｍｅｎｔ；ＵＥ)とネットワークがコールを管理するために用いる各制御メッセージが送信される通路を意味する。ユーザプレーンは、アプリケーション層で生成されたデータ、例えば、音声データ又はインターネットパケットデータなどが送信される通路を意味する。
【００３１】
第１層である物理層は、物理チャネル(Ｐｈｙｓｉｃａｌ Ｃｈａｎｎｅｌ)を用いて上位層に情報送信サービス(Ｉｎｆｏｒｍａｔｉｏｎ Ｔｒａｎｓｆｅｒ Ｓｅｒｖｉｃｅ)を提供する。物理層は、上位にある媒体接続制御(Ｍｅｄｉｕｍ Ａｃｃｅｓｓ Ｃｏｎｔｒｏｌ)層とは伝送チャネル(Ｔｒａｎｓｐｏｒｔ Ｃｈａｎｎｅｌ)を介して接続されている。前記伝送チャネルを介して媒体接続制御層と物理層との間にデータが移動する。送信側と受信側の物理層間には、物理チャネルを介してデータが移動する。前記物理チャネルは、時間と周波数を無線リソースとして活用する。具体的に、物理チャネルは、下りリンクでＯＦＤＭＡ(Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ)方式で変調され、上りリンクでＳＣ―ＦＤＭＡ(Ｓｉｎｇｌｅ Ｃａｒｒｉｅｒ Ｆｒｅｑｕｅｎｃｙ Ｄｉｖｉｓｉｏｎ Ｍｕｌｔｉｐｌｅ Ａｃｃｅｓｓ)方式で変調される。
【００３２】
第２層の媒体接続制御(Ｍｅｄｉｕｍ Ａｃｃｅｓｓ Ｃｏｎｔｒｏｌ；ＭＡＣ)層は、論理チャネル(Ｌｏｇｉｃａｌ Ｃｈａｎｎｅｌ)を介して上位層である無線リンク制御(Ｒａｄｉｏ Ｌｉｎｋ Ｃｏｎｔｒｏｌ；ＲＬＣ)層にサービスを提供する。第２層のＲＬＣ層は、信頼性のあるデータ送信をサポートする。ＲＬＣ層の機能は、ＭＡＣ内部の機能ブロックで具現することもできる。第２層のＰＤＣＰ(Ｐａｃｋｅｔ Ｄａｔａ Ｃｏｎｖｅｒｇｅｎｃｅ Ｐｒｏｔｏｃｏｌ)層は、帯域幅の狭い無線インターフェースでＩＰバージョン４(ＩＰ ｖｅｒｓｉｏｎ ４、ＩＰｖ４)パケットやＩＰバージョン６(ＩＰｖ６)パケットのようなＩＰ(ｉｎｔｅｒｎｅｔ ｐｒｏｔｏｃｏｌ)パケットを効率的に送信するために不必要な制御情報を減少させるヘッダ圧縮(Ｈｅａｄｅｒ Ｃｏｍｐｒｅｓｓｉｏｎ)機能を行う。
【００３３】
第３層の最下部に位置した無線リソース制御(Ｒａｄｉｏ Ｒｅｓｏｕｒｃｅ Ｃｏｎｔｒｏｌ；ＲＲＣ)層は、コントロールプレーンのみで定義される。ＲＲＣ層は、各無線ベアラ(Ｒａｄｉｏ Ｂｅａｒｅｒ；ＲＢ)の設定(Ｃｏｎｆｉｇｕｒａｔｉｏｎ)、再設定(Ｒｅ―ｃｏｎｆｉｇｕｒａｔｉｏｎ)及び解除(Ｒｅｌｅａｓｅ)と関連して論理チャネル、伝送チャネル及び物理チャネルの制御を担当する。ＲＢは、端末とネットワークとの間のデータ伝達のために第２層によって提供されるサービスを意味する。このために、端末とネットワークのＲＲＣ層は、互いにＲＲＣメッセージを交換する。
【００３４】
ｅＮＢの一つのセルは、１．２５ＭＨｚ、２．５ＭＨｚ、５ＭＨｚ、１０ＭＨｚ、１５ＭＨｚ及び２０ＭＨｚなどの各帯域のうち一つで動作するように設定することができ、帯域で下りリンク又は上りリンク送信サービスを提供するように設定することができる。異なる各セルは、異なる各帯域を提供するように設定することもできる。
【００３５】
Ｅ―ＵＴＲＡＮから端末への送信のための下りリンク伝送チャネル(Ｄｏｗｎｌｉｎｋ ｔｒａｎｓｐｏｒｔ Ｃｈａｎｎｅｌ)は、システム情報を送信するＢＣＨ(Ｂｒｏａｄｃａｓｔ Ｃｈａｎｎｅｌ)、各ページングメッセージを送信するＰＣＨ(Ｐａｇｉｎｇ Ｃｈａｎｎｅｌ)、及びユーザトラフィック又は各制御メッセージを送信するための下りリンク共有チャネル(Ｓｈａｒｅｄ Ｃｈａｎｎｅｌ、ＳＣＨ)を含む。下りリンクマルチキャスト又はブロードキャストサービスのトラフィック又は制御メッセージの場合、下りリンクＳＣＨを介して送信することもでき、又は別途の下りリンクＭＣＨ(Ｍｕｌｔｉｃａｓｔ Ｃｈａｎｎｅｌ)を介して送信することもできる。
【００３６】
端末からネットワークにデータを送信する上りリンク伝送チャネルとしては、初期制御メッセージを送信するＲＡＣＨ(Ｒａｎｄｏｍ Ａｃｃｅｓｓ Ｃｈａｎｎｅｌ)と、その他にユーザトラフィックや制御メッセージを送信する上りリンクＳＣＨ(Ｓｈａｒｅｄ Ｃｈａｎｎｅｌ)とがある。伝送チャネルの上位にあり、伝送チャネルにマップされる論理チャネルとしては、ＢＣＣＨ(Ｂｒｏａｄｃａｓｔ Ｃｏｎｔｒｏｌ Ｃｈａｎｎｅｌ)、ＰＣＣＨ(Ｐａｇｉｎｇ Ｃｏｎｔｒｏｌ Ｃｈａｎｎｅｌ)、ＣＣＣＨ(Ｃｏｍｍｏｎ Ｃｏｎｔｒｏｌ Ｃｈａｎｎｅｌ)、ＭＣＣＨ(Ｍｕｌｔｉｃａｓｔ Ｃｏｎｔｒｏｌ Ｃｈａｎｎｅｌ)、及びＭＴＣＨ(Ｍｕｌｔｉｃａｓｔ Ｔｒａｆｆｉｃ Ｃｈａｎｎｅｌ)などがある。
【００３７】
図４ａはＮＧ無線アクセスネットワーク(ＮＧ−ＲＡＮ)アーキテクチャのネットワーク構造を示すブロック図であり、図４ｂはＮＧ−ＲＡＮと５Ｇコアネットワーク(５ＧＣ)の間の機能的分割アーキテクチャを説明するブロック図である。
【００３８】
ＮＧ−ＲＡＮノードは、端末に向けてＮＲユーザ平面及び制御平面プロトコル終端を提供するｇＮＢ、又は端末に向けてＥ−ＵＴＲＡユーザ平面及び制御平面プロトコル終端を提供するｎＧ−ｅＮＢである。
【００３９】
ｇＮＢとｎｇ−ｅＮＢはＸｎインターフェースを介して互いに連結される。またｇＮＢ及びｎｇ−ｅＮＢはＮＧインターフェースを介して５ＧＣに、より具体的には、ＮＧ−Ｃインターフェースを介してＡＭＦ(Ａｃｃｅｓｓ ａｎｄ Ｍｏｂｉｌｉｔｙ Ｍａｎａｇｅｍｅｎｔ Ｆｕｎｃｔｉｏｎ)に、またＮＧ−Ｕインターフェースを介してＵＰＦ(Ｕｓｅｒ Ｐｌａｎｅ Ｆｕｎｃｔｉｏｎ)に連結される。
【００４０】
ＸｎインターフェースはＸｎユーザ平面(Ｘｎ−Ｕ)とＸｎ制御平面(Ｘｎ−Ｃ)を含む。Ｘｎユーザ平面(Ｘｎ−Ｕ)インターフェースは２つのＮＧ−ＲＡＮノードの間に定義される。送信ネットワーク階層はＩＰ送信上に構築され、ＧＴＰ−Ｕはユーザ平面ＰＤＵを送信するためにＵＤＰ／ＩＰ上端で使用される。Ｘｎ−Ｕはユーザ平面ＰＤＵの無保証(ｎｏｎ−ｇｕａｒａｎｔｅｅｄ)伝達を提供し、以下の機能を支援する。i)データフォーワーディング及びii)フロー制御。Ｘｎ制御平面インターフェース(Ｘｎ−Ｃ)は２つのＮＧ−ＲＡＮノードの間に定義される。送信ネットワーク階層はＩＰ上端のＳＣＴＰ上に構築される。アプリケーション階層シグナリングプロトコルは、ＸｎＡＰ(Ｘｎ Ａｐｐｌｉｃａｔｉｏｎ Ｐｒｏｔｏｃｏｌ)とも呼ばれる。ＳＣＴＰ階層はアプリケーション階層メッセージの保障された伝達を提供する。送信ＩＰ階層においてポイント−ｔｏ−ポイント(ｐｏｉｎｔ−ｔｏ−ｐｏｉｎｔ)送信は、シグナリングＰＤＵを伝達する時に使用される。Ｘｎ−Ｃインターフェースは、i)Ｘｎインターフェース管理、ii)コンテキスト送信及びＲＡＮページングを含むＵＥ移動性管理、及びiii)二重連結性(Ｄｕａｌ ｃｏｎｎｅｃｔｉｖｉｔｙ)機能を支援する。
【００４１】
ＮＧインターフェースにはＮＧユーザ平面(ＮＧ−Ｕ)及びＮＧ制御平面(ＮＧ−Ｃ)が含まれる。ＮＧユーザ平面インターフェース(ＮＧ−Ｕ)はＮＧ−ＲＡＮノードとＵＰＦの間に定義される。送信ネットワーク階層はＩＰ送信上に構築され、ＧＴＰ−ＵはＮＧ−ＲＡＮノードとＵＰＦの間でユーザ平面ＰＤＵを伝達するためにＵＤＰ／ＩＰ上端で使用される。ＮＧ−ＵはＮＧ−ＲＡＮノードとＵＰＦの間のユーザ平面ＰＤＵの無保証伝達を提供する。
【００４２】
ＮＧ制御平面インターフェース(ＮＧ−Ｃ)はＮＧ−ＲＡＮノードとＡＭＦの間で定義される。送信ネットワーク階層はＩＰ送信上に構築される。信号メッセージの安定した送信のために、ＳＣＴＰがＩＰ上端に追加される。アプリケーション階層シグナリングプロトコルは、ＮＧＡＰ(ＮＧＡｐｐｌｉｃａｔｉｏｎ Ｐｒｏｔｏｃｏｌ)とも呼ばれる。ＳＣＴＰ階層はアプリケーション階層メッセージの保障された伝達を提供する。この送信時、ＩＰ階層ポイント−ｔｏ−ポイント送信を使用してシグナリングＰＤＵを伝達する。
【００４３】
ＮＧ−Ｃはi)ＮＧインターフェース管理、ii)ＵＥコンテキスト管理、iii)ＵＥ移動性管理、iv)設定伝達、及びv)警告メッセージ送信機能を提供する。
【００４４】
ｇＮＢ及びｎｇ−ｅＮＢは、i)無線リソース管理のための機能、即ち、無線ベアラ制御、無線許容制御、接続移動性制御、上りリンク及び下りリンク(スケジューリング)の全てにおいて、ＵＥに対するリソースの動的割り当て、ii)ＩＰヘッダ圧縮、データの暗号化及び無欠性保護、iii)端末が提供する情報からＡＭＦへのルーティングを決定できない時、端末付着時、ＡＭＦの選択、iv)ＵＰＦに向かうユーザ平面データのルーティング、v)ＡＭＦに向かう制御平面情報のルーティング、vi)連結設定及びリリース、vii)(ＡＭＦで発生した)ページングメッセージのスケジューリング及び送信、viii)(ＡＭＦ又はＯ＆Ｍで発生した)システム放送情報のスケジューリング及び送信、ix)移動性及びスケジューリングのための測定及び測定報告設定、x)上りリンクにおける送信レベルのパケットマーキング、xi)セクション管理、xii)ネットワークスライス支援及びxiii)ＱｏＳフロー管理及びデータ無線ベアラへのマッピングなどの機能を担当する。アクセス及び移動性管理機能(Ａｃｃｅｓｓ ａｎｄ Ｍｏｂｉｌｉｔｙ Ｍａｎａｇｅｍｅｎｔ Ｆｕｎｃｔｉｏｎ、ＡＭＦ)は、i)ＮＡＳシグナリング終了、ii)ＮＡＳ信号保安、iii)ＡＳ保安制御、iv)３ＧＰＰアクセスネットワークの間の移動性のためのインターＣＮノードシグナリング、v)休止モードＵＥ到達可能性(ページング再送信の制御及び実行を含む)、vi)登録領域管理、vii)システム内及びシステム間の移動性支援、viii)アクセス認証、ix)移動性管理制御(加入及び政策)、x)ネットワークスライス支援、及びxi)ＳＭＦ選択の主要機能を担当する。
【００４５】
ユーザ平面機能(Ｕｓｅｒ Ｐｌａｎｅ Ｆｕｎｃｔｉｏｎ、ＵＰＦ)は、i)ＲＡＴ内／ＲＡＴ間の移動性のためのアンカーポイント(該当する場合)、ii)データネットワークに対する相互連結の外部ＰＤＵセクションポイント、iii)パケット検査及び政策規則執行のユーザ平面部分、iv)トラフィック使用報告、v)データネットワークへのトラフィックフローのルーティングを支援する上りリンク分類器、vi)ユーザ平面に対するＱｏＳ処理、例えば、パケットフィルタリング、ゲーティング、ＵＬ／ＤＬレート施行、及びvii)上りリンクトラフィック検証(ＳＤＦ対ＱｏＳフローマッピング)の主要機能を担当する。
【００４６】
セクション管理機能(Ｓｅｓｓｉｏｎ Ｍａｎａｇｅｍｅｎｔ Ｆｕｎｃｔｉｏｎ、ＳＭＦ)は、i)セクション管理、ii)ＵＥ ＩＰ住所割り当て及び管理、iii)ＵＰ機能の選択及び制御、iv)トラフィックを適切な対象にルーティングするためにＵＰＦにおけるトラフィック調整設定、v)政策執行の制御部分及びＱｏＳ制御、vi)下りリンクデータ通報の主要機能を担当する。
【００４７】
図５は３ＧＰＰ(３ｒｄ ｇｅｎｅｒａｔｉｏｎ ｐａｒｔｎｅｒｓｈｉｐ ｐｒｏｊｅｃｔ)無線アクセスネットワーク標準に基づくＵＥとＮＧ−ＲＡＮの間の無線インターフェースプロトコルの制御平面及びユーザ平面を示す図である。
【００４８】
ユーザ平面プロトコルスタックは、Ｐｈｙ、ＭＡＣ、ＲＬＣ、ＰＤＣＰ及び５Ｇ ＱｏＳモデルを支援するために新しく導入したＳＤＡＰ(Ｓｅｒｖｉｃｅ Ｄａｔａ Ａｄａｐｔａｔｉｏｎ Ｐｒｏｔｏｃｏｌ)を含む。
【００４９】
ＳＤＡＰエンティティの主要サービス及び機能は、i)ＱｏＳフローとデータ無線ベアラの間のマッピング、ii)ＤＬ及びＵＬパケットの全てにおけるＱｏＳフローＩＤ(ＱＦＩ)指標である。ＳＤＡＰの単一プロトコルエンティティは各々の個別ＰＤＵセクションごとに設定される。
【００５０】
ＱｏＳフローについて上位階層からＳＤＡＰ ＳＤＵの受信時、送信ＳＤＡＰエンティティはＱｏＳフローについて貯蔵されたＱｏＳフロー対ＤＲＢマッピング規則がない場合、ＳＤＡＰ ＳＤＵをデフォルトＤＲＢにマッピングすることができる。ＱｏＳフローについて貯蔵されたＱｏＳフロー対ＤＲＢマッピング規則がある場合、ＳＤＡＰエンティティは貯蔵されたＱｏＳフロー対ＤＲＢマッピング規則によってＳＤＢ ＳＤＵをＤＲＢにマッピングすることができる。また、ＳＤＡＰエンティティはＳＤＡＰ ＰＤＵを構成して下位階層に伝達できる。
【００５１】
図６はＵＥとＮＧ−ＲＡＮの間のＬ２データフローに関する一例である。
【００５２】
図６に階層２データフローの一例が示されており、ここで送信ブロックはＲＢｘからの２つのＲＬＣ ＰＤＵとＲＢｙからの１つのＲＬＣ ＰＤＵとを連結することによりＭＡＣにより生成される。ＲＢＸからの２つのＲＬＣ ＰＤＵの各々は１つのＩＰパケット(ｎ及びｎ＋１)に対応し、ＲＢｙからのＲＬＣ ＰＤＵはＩＰパケット(ｍ)のセグメントである。
【００５３】
図７はＱｏＳフローに対する分類及びユーザ平面マーキング及びＮＧ−ＲＡＮリソースへのマッピングのためのダイヤグラムである。
【００５４】
５Ｇ ＱｏＳモデルはＱｏＳフローに基づく。５Ｇ ＱｏＳモデルは保証されたフロービット送信率を要求するＱｏＳフロー(ＧＢＲ ＱｏＳフロー)及び保証されたフロービット送信率を要求しないＱｏＳフロー(非−ＧＢＲ ＱｏＳフロー)を全て支援する。この５Ｇ ＱｏＳモデルは反映式ＱｏＳも支援する。
【００５５】
ＱｏＳフローはＰＤＵセクションにおいてＱｏＳ差等化の最低粒度である。ＱｏＳフローＩＤ(ＱＦＩ)は５ＧシステムにおいてＱｏＳフローを識別する時に使用される。ＰＤＵセクション内において同じＱＦＩを有するユーザ平面トラフィックは同じトラフィックフォーワーディング処理(例えば、スケジューリング、承認臨界値)を受信する。ＱＦＩはｅ２ｅパケットヘッダを変更せず、Ｎ３(及びＮ９)上でカプセル化ヘッダ内で伝達される。ＱＦＩは全てのＰＤＵセクションタイプについて使用される。ＱＦＩはＰＤＵセクション内で固有である。ＱＦＩは動的に割り当てられるか又は５ＱＩと同一である。
【００５６】
５Ｇシステム内において、ＱｏＳフローはＳＭＦにより制御され、ＰＤＵセクションの設定手順又はＰＤＵセクションの修訂手順により予め構成されるか又は設定される。
【００５７】
任意のＱｏＳフローは、i)Ｎ２基準ポイントにかけてＡＭＦを介してＳＭＦによりＮＧ−ＲＡＮに提供されるか又はＮＧ−ＲＡＮで予め構成されたＱｏＳプロファイル、ii)Ｎ１基準ポイントをかけてＡＭＦを介してＳＭＦによりＵＥに提供でき、及び／又は反映式ＱｏＳ制御を適用することによりＵＥにより誘導可能な１つ以上のＱｏＳ規則、及びiii)ＳＭＦがＵＰＦに提供した１つ以上のＳＤＦテンプレートを特徴とする。
【００５８】
ＵＥはＱｏＳ規則に基づいてＵＬユーザ平面トラフィックの分類及びマーキング、即ち、ＵＬトラフィックとＱｏＳフローの連関を行う。かかるＱｏＳ規則は(ＰＤＵセクションの設定／修訂手順を使用して)ＵＥに明示的に提供できるか、ＵＥで予め構成されるか、又は反映式ＱｏＳを適用してＵＥにより暗示的に誘導されることができる。
【００５９】
反映式ＱｏＳはＵＥが受信されたＤＬトラフィックに基づいてＵＥでＵＥ誘導されたＱｏＳ規則を生成することにより、ＵＬユーザ平面トラフィックをＱｏＳフローにマッピング可能にする。
【００６０】
ＱｏＳ規則はＰＤＵセクション内で固有なＱｏＳ規則識別子を含み、連関するＱｏＳフローのＱＦＩ及びＵＬに対する、また選択仕様的にＤＬに対するパケットフィルターセット及び優先順位値を含む。また、動的に割り当てられたＱＦＩについて、ＱｏＳ規則はＵＥに関連するＱｏＳパラメータを含む(例えば、５ＱＩ、ＧＢＲ、ＭＢＲ及び平均化ウィンドウを含む)。同一のＱｏＳフロー(即ち、同一のＱＦＩ)に連関する１つ以上のＱｏＳ規則があり得る。
【００６１】
デフォルトＱｏＳ規則は全てのＰＤＵセクションで必要であり、デフォルトＱｏＳ規則のＱｏＳフローに連関する。図７にユーザ平面トラフィックの分類及びマーキング及びＱｏＳフローのＮＧ−ＲＡＮリソースへのマッピングに関する原理が示されている。
【００６２】
ＤＬにおいて、インカミングデータパケットは(追加Ｎ４シグナリングを開始せず)これらのＳＤＦ優先順位によってＳＤＦテンプレートに基づいてＵＰＦにより分類される。ＵＰＦはＱＦＩを使用してＮ３(及びＮ９)ユーザ平面マーキングによりＱｏＳフローに属するユーザ平面トラフィックの分類を伝達する。ＮＧ−ＲＡＮはＱｏＳフローをＮＧ−ＲＡＮリソース(即ち、Ｄａｔａ Ｒａｄｉｏ Ｂｅａｒｅｒ)にバインディング(ｂｉｎｄｉｎｇ)する。ＱｏＳフローとＮＧ−ＲＡＮリソースの間には厳しい１：１関係がない。ＱｏＳフローをマッピングできる必要なＮＧ−ＲＡＮリソースを設定することはＮＧ−ＲＡＮの責任である。
【００６３】
ＵＬにおいて、一致するＱｏＳ規則(即ち、そのパケットフィルターがＵＬパケットと一致)が発見されるまで、ＵＥは増加する順にＱｏＳ規則の優先順位値に基づいてＱｏＳ規則に設定されたパケットフィルターに対してＵＬパケットを評価する。ＵＥは相応するマッチングＱｏＳ規則においてＱＦＩを使用してＵＬパケットをＱｏＳフローにバインディングする。
【００６４】
図８は５Ｇ ＱｏＳモデルに関する概念図である。
【００６５】
図８に示したように、多数のユーザ平面トラフィック(例えば、ＩＰフロー)は同一のＱｏＳフロー上に多重化されることができ、多数のＱｏＳフローは同一のＤＲＢ(データ無線ベアラ)上に多重化されることができる。ＤＬにおいて、５ＧＣはＩＰフロー対ＱｏＳフローマッピングを担当し、ＮＧ−ＲＡＮはＱｏＳフロー対ＤＲＢマッピングを担当する。ＵＬにおいて、ＵＥはＩＰフローの２段階マッピングを行い、ここで、ＮＡＳがＩＰフロー対ＱｏＳフローマッピングを担当し、ＡＳはＱｏＳフロー対ＤＲＢマッピングを担当する。言い換えれば、ＵＥはデフォルトＱｏＳ規則、予め認可されたＱｏＳ規則及び／又は５ＧＣがＵＥに提供する反映式ＱｏＳ規則のようなＱｏＳ規則によってＩＰフローをＱｏＳフローにマッピングする。その後、ＵＥはＮＧ−ＲＡＮがＵＥに提供するＡＳマッピング規則によってＱｏＳフローをＤＲＢにマッピングする。
【００６６】
ＩＰフローがＵＥ内の任意のＱｏＳ規則とマッチングされないと、ＩＰフローが任意のＱｏＳフローに属しないので、ＵＥはＩＰフローをＱｏＳフローにマッピングできず、ＩＰフローのＵＬパケットをネットワークに送信することができない。かかる場合を処理するために、ＵＥは適切なＱｏＳ規則を得るために要請するＮＡＳ手順をトリガすることができる。しかし、ＵＥは上記要請に対応する応答を待たなければならないので、これは更なる遅延を発生させる。問題は即刻送信すべき緊急ＵＬパケットの場合に深刻になる。
【００６７】
本発明はＵＥ内のＱｏＳ規則のうち、任意のものにマッチングされないＩＰフローのＵＬパケット送信を行うための方法及び装置に関する。
【００６８】
図９は本発明の実施例による無線通信システムにおいて反映式サービス品質(ＱｏＳ)を行うための概念図である。
【００６９】
この明細書に記載の一部用語は以下のように定義される：
【００７０】
−ＰＤＵセクションは、ＵＥとＰＤＵ連結サービスを提供するデータネットワークの間の連関を言う。
【００７１】
−ＰＤＵ連結サービスは、ＵＥとデータネットワークの間にＰＤＵ(Ｐａｃｋｅｔ Ｄａｔａ Ｕｎｉｔ)の交換を提供するサービスを言う。
【００７２】
−ＱｏＳ規則は、サービスデータフロー(例えば、ＩＰフロー)を検出することを可能にし、その関連ＱｏＳパラメータを定義できる一連の情報を示す。かかる規則はＮＡＳ−レベルＱｏＳプロファイル(例えば、ＱｏＳ特性、ＱｏＳマーキング)及びパケットフィルターで構成される。ＱｏＳ規則の３つのタイプは、デフォルトＱｏＳ規則(Ｄｅｆａｕｌｔ ＱｏＳ Ｒｕｌｅ)、予め承認されたＯｏＳ規則(Ｐｒｅ−ａｕｔｈｏｒｉｚｅｄ ＱｏＳ ｒｕｌｅ)及び反映式ＱｏＳ規則(Ｒｅｆｌｅｃｔｉｖｅ ＱｏＳ ｒｕｌｅ)である。
【００７３】
−デフォルトＱｏＳ規則は、ＰＤＵセクション当たりの必須ＱｏＳ規則を意味する。これはＰＤＵセクション設定時にＵＥに提供される。
【００７４】
−予め承認されたＱｏＳ規則は、ＰＤＵセクション設定で提供される全てのＱｏＳ規則(Ｄｅｆａｕｌｔ ＱｏＳ規則とは異なる)を意味する。
【００７５】
−反映式ＱｏＳ規則は、ＤＬトラフィックに適用されるＱｏＳ規則に基づいてＵＥが生成したＱｏＳ規則を意味する。
【００７６】
−ＱｏＳマーキングは、特定のパケットフォーワーディング挙動に対する基準として使用されるスカラーである。
【００７７】
−パケットフィルターは、サービスデータフローをマッチングするための情報を示す。パケットフィルターのフォーマットはＩＰ５タプル(ソースＩＰ住所又はＩＰｖ６ネットワークプリフィックス、受信地ＩＰ住所又はＩＰｖ６ネットワークプリフィックス、ソースポート番号、受信地ポート番号、ＩＰ上のプロトコルのプロトコルＩＤ)をマッチングするためのパターンである。サービスデータフローはＤＬ／ＵＬパケットフィルターによってＱｏＳフローにマッピングされる。
【００７８】
−ＱｏＳフローは、ＱｏＳ処理のための最小粒度を示す。
【００７９】
−ＮＧ(次世代：Ｎｅｘｔ Ｇｅｎｅｒａｔｉｏｎ)システムは、ＡＭＦ(Ａｃｃｅｓｓ ａｎｄ Ｍｏｂｉｌｉｔｙ Ｍａｎａｇｅｍｅｎｔ Ｆｕｎｃｔｉｏｎ)、ＳＭＦ(セクション管理機能)及びＵＰＦ(ユーザ平面機能)で構成される。
【００８０】
−ＡＳマッピング規則は、ＱｏＳフローとそのＱｏＳフローを運搬するデータ無線ベアラ(ＤＲＢ)の間の連関性に関連する情報セットを言う。
【００８１】
−ＡＳ−レベル反映式ＱｏＳは、ＤＲＢ内で受信されたＱｏＳフローＩＤを有するＤＬパケットに基づいてＵＥでＵＬ ＡＳマッピング規則をアップデートすることを意味する。
【００８２】
−ＰＤＵは、パケットデータ単位である。
【００８３】
−ＳＤＵは、サービスデータ単位(Ｓｅｒｖｉｃｅ Ｄａｔａ Ｕｎｉｔ)である。
【００８４】
−ＳＤＡＰ(Ｓｅｒｖｉｃｅ Ｄａｔａ Ａｄａｐｔａｔｉｏｎ Ｐｒｏｔｏｃｏｌ)は５Ｇ ＱｏＳモデルに対するユーザ平面ＡＳプロトコル階層である。
【００８５】
ＰＤＵセクション設定(Ｓ９０１)の間、ＵＥは５ＧＣからＰＤＵセクションに関連するＱｏＳ規則を受信し、ＮＧ−ＲＡＮからＰＤＵセクションに対するＡＳマッピング規則及びＤＲＢ構成情報を受信する。
【００８６】
このＰＤＵセクションに関連するＱｏＳ規則のＵＬパケットフィルターは、ＵＥで構成されたＩＰフロー(即ち、ユーザ平面トラフィック)対ＱｏＳフローマッピング規則である。
【００８７】
ＡＳ−マッピング規則は、ＵＥで構成されたＵＬ ＱｏＳフロー対ＤＲＢマッピング規則である。
【００８８】
ＵＥは上記受信されたＱｏＳ規則及びＡＳ−マッピング規則を貯蔵し、デフォルトＤＲＢ及び／又は専用ＤＲＢ(非−デフォルトＤＲＢ)のようなＤＲＢを設定する。
【００８９】
デフォルトＤＲＢはＰＤＵセクションの設定時にＮＧ−ＲＡＮにより設定される。フローの第１パケットがＵＬパケットであり、ＵＥでマッピング規則が構成されていないと、上記パケットはデフォルトＤＲＢを介してネットワークに送信される。
【００９０】
その後、ＵＥはＮＧ−ＲＡＮから第１ＤＲＢ ＩＤを有するＤＬ ＤＲＢを介してＤＬ ＳＤＡＰデータＰＤＵを受信する(Ｓ９０３)。
【００９１】
好ましくは、ＤＬ ＳＤＡＰ ＰＤＵはＵＥのＰＤＣＰエンティティより上位階層であるＳＤＡＰエンティティのためのＰＤＵである。
【００９２】
好ましくは、ＤＬ ＳＤＡＰ ＰＤＵは、ＵＥで上りリンク(ＵＬ)に対してアクセス層(ａｃｃｅｓｓ Ｓｔｒａｔｕｍ：ＡＳ)マッピング規則のアップデートを行うか否かを示すＡＳ−レベル反映式ＱｏＳ活性化指標、及び上りリンク(ＵＬ)に対する非−アクセス層(Ｎｏｎ Ａｃｃｅｓｓ Ｓｔｒａｔｕｍ：ＮＡＳ)反映式ＱｏＳ規則のアップデートを行うか否かを示すＮＡＳ−レベル反映式(Ｒｅｆｌｅｃｔｉｖｅ)ＱｏＳ活性化指標を含む。
【００９３】
好ましくは、ＮＡＳ−レベル反映式ＱｏＳ活性化指標又はＡＳ−レベル反映式ＱｏＳ活性化指標のうちのいずれか１つが'１'に設定されると、ＤＬ ＳＤＡＰ ＰＤＵはさらにＱｏＳフローＩＤを含む。
【００９４】
ＡＳ−レベル反映式ＱｏＳ活性化指標が'１'に設定された場合、ＵＥはＵＬ ＡＳマッピング規則をアップデートする。ＵＥがＵＬ ＡＳマッピング規則をアップデートする時、第１ＱｏＳフローＩＤを有する上りリンクＱｏＳフローにマッピングされる上りリンクＤＲＢは第１ＤＲＢ ＩＤを有する上りリンクＤＲＢに設定される(Ｓ９０５)。ＡＳ−レベル反映式ＱｏＳ活性化指標が'０'に設定された場合、ＵＥはＵＬ ＡＳマッピング規則(Ｓ９０７)をアップデートしない。
【００９５】
ＮＡＳ−レベル反映式ＱｏＳ活性化指標が'１'に設定された場合、上記受信されたＤＬ ＳＤＡＰデータＰＤＵ内のＱｏＳフローＩＤは、ＵＥにおいて、検索されたＤＬ ＳＤＡＰデータＳＤＵと共に、ＤＬ ＳＤＡＰデータＰＤＵから上位階層に伝達される。ＤＬトラフィックを有するＱｏＳフローＩＤが下位階層から受信されると、ＵＥはＵＬ ＱｏＳ規則をアップデートする。ＵＥがＵＬ ＱｏＳ規則をアップデートする時、ＤＬトラフィックの第１ＩＰフローＩＤを有するＵＬ ＩＰフローにマッピングされたＵＬ ＱｏＳフローは、第１ＱｏＳフローＩＤを有するＵＬ ＱｏＳフローに設定される(Ｓ９０９)。
【００９６】
ＮＡＳ−レベル反映式ＱｏＳ活性化指標が'０'に設定された場合、検索されたＤＬ ＳＤＡＰデータＳＤＵのみがＵＥで上位階層に伝達される。下位階層からＤＬトラフィックのみが受信される場合、ＵＥはＵＬ ＱｏＳ規則をアップデートしない(Ｓ９１１)。
【００９７】
ＮＡＳ−レベル反映式ＱｏＳ活性化指標及びＡＳ−レベル反映式ＱｏＳ活性化指標が全て'０'であると、ＵＥはＤＬ ＳＤＡＰデータＰＤＵがＱｏＳフローＩＤを排除し、ＮＡＳ−レベル反映式ＱｏＳ活性化指標及びＡＳ−レベル反映式ＱｏＳ活性化指標で構成されることを認識する。
【００９８】
上位階層から第１ＩＰフローを有する上りリンクパケットを受信した場合、上記ＮＡＳ−レベル反映ＱｏＳ活性化指標が１に設定されることによりＵＬに対するＮＡ反映式ＱｏＳ規則のアップデートが行われると、ＵＥはＵＬパケット内で上記第１ＩＰフローにマッピングされた第１ＱｏＳフローのＱＦＩをマーキングし(Ｓ９１３)、ＵＬに対するＡＳマッピング規則のアップデートがＡＳ−レベル反映式ＱｏＳ活性化指標が１に設定されることにより行われる場合、ＵＥは第１ＱｏＳフローＩＤにマッピングされた第１ＤＲＢを介してＵＬパケットをネットワークに送信する(Ｓ９１５)。
【００９９】
図１０はＤＬ ＳＤＡＰデータＰＤＵのフォーマットに関する一例であり、図１１はＤＬ ＳＤＡＰヘッダのフォーマットに関する一例である。
【０１００】
ＤＬ ＳＤＡＰデータＰＤＵはＤＬデータフィールド及びＤＬ ＳＤＡＰヘッダで構成される。ＤＬ ＳＤＡＰヘッダは、図１０に示したように、ＤＬデータの前側(フォーマット１)又はＤＬデータの後側に(フォーマット２)が付加されることができる。
【０１０１】
図１１に示したように、ＤＬ ＳＤＡＰヘッダはＮＡＳ−レベル反映式ＱｏＳ活性化指標、ＡＳ−レベル反映式ＱｏＳ活性化指標及びＱｏＳフローＩＤで構成される(フォーマット１)。全てのＤＬ ＳＤＡＰヘッダについて、ＮＡＳ−レベル反映式ＱｏＳ活性化指標及びＡＳ−レベル反映式ＱｏＳ活性化指標が存在する。プロトコルオーバーヘッドを減らすために、２つの反映式ＱｏＳ活性化指標の値によって必要な場合にのみ、ＤＬ ＳＤＡＰヘッダについてＱｏＳフローＩＤが存在することができる。よって、ＮＡＳ−レベル反映式ＱｏＳ活性化指標及びＡＳ−レベル反映式ＱｏＳ活性化指標が全て'０'であると、上記ＤＬ ＳＤＡＰヘッダはＱｏＳフローＩＤを含まないことができる(フォーマット２)。
【０１０２】
図１２は本発明の実施例によってＮＡＳ−レベル反映式ＱｏＳ及びＡＳ−レベル反映式ＱｏＳが活性化された例を示す図である。
【０１０３】
ＰＤＵセクション設定の間、５ＧＣはＰＤＵセクションに関連するＱｏＳ規則をＵＥに送信し、パケットフィルターを除いたＱｏＳ規則をＮＧ−ＲＡＮに送信する。ＮＧ−ＲＡＮはＵＥに該当ＰＤＵセクションのデフォルトＤＲＢ設定のためのＲＲＣメッセージを送信する。ＲＲＣメッセージはＡＳマッピング規則のような幾つかの設定事項を含む。ＮＧ−ＲＡＮはＲＲＣメッセージに対する応答としてＵＥからＲＲＣメッセージを受信する。
【０１０４】
ＰＤＵセクション設定の間、ＵＥは５ＧＣからＰＤＵセクションに関連するＱｏＳ規則を受信し、ＮＧ−ＲＡＮからＰＤＵセクションに対するＡＳマッピング規則及びデフォルトＤＲＢ構成情報を受信する。また、ＵＥは受信したＱｏＳ規則及びＡＳ−マッピング規則を貯蔵し、デフォルトＤＲＢを設定する。その後、ＵＥはＱｏＳ規則を含むＮＡＳメッセージを受信するか、又は反映式ＱｏＳ活性化を示すＤＬパケットを受信することにより、ＱｏＳ規則をアップデートすることができる(Ｓ１２０１)。
【０１０５】
５ＧＣがＮＡＳ−レベル反映式ＱｏＳを活性化すると決定すると、ＱｏＳマーキング及び反映式ＱｏＳ活性化指標を有するＤＬデータはＮＧ−ＲＡＮに送信される(Ｓ１２０３)。ＱｏＳマーキング及び反映式ＱｏＳ活性化指標は、即ち、ｅ２ｅパケットヘッダを変更せず、ＮＧ−Ｕ上でカプセル化ヘッダ内で伝達する。
【０１０６】
受信したカプセル化ヘッダ内の反映式ＱｏＳ活性化指標が'１'であると、ＮＧ−ＲＡＮはＤＬ ＳＤＡＰヘッダのＮＡＳ−レベルの反映式ＱｏＳ活性化指標を'１'に設定する(Ｓ１２０５)。
【０１０７】
ＮＧ−ＲＡＮがＡＳ−レベル反映式ＱｏＳを活性化すると決定すると、ＮＧ−ＲＡＮはＤＬ ＳＤＡＰヘッダのＡＳ−レベル反映式ＱｏＳ活性化指標を'１'に設定する(Ｓ１２０７)。
【０１０８】
ＮＧ−ＲＡＮはＤＬパケットのＱｏＳフローをＡＳマッピング規則により定義されたＤＲＢにマッピングし、ＤＬ ＳＤＡＰデータＰＤＵをＤＲＢを介してＵＥに送信する(Ｓ１２０９)。
【０１０９】
この場合、ＤＬ ＳＤＡＰデータＰＤＵはＡＳ−レベル反映式ＱｏＳ活性化指標及びＮＡＳ−レベル反映式ＱｏＳ活性化指標及びＱｏＳフローＩＤを含む。
【０１１０】
このＡＳ−レベル反映式ＱｏＳ活性化指標及びＮＡＳ−レベル反映式ＱｏＳ活性化指標が全て'１'に設定された場合、ＵＥはＵＬ ＡＳマッピング規則をアップデートし、受信したＱｏＳフローＩＤ及びＤＬデータをＵＥ内で上位階層に伝達し、ＵＬ ＱｏＳ規則をアップデートする(Ｓ１２１１)。
【０１１１】
図１３はＳ１２１１の段階に関する例を示す図である。
【０１１２】
ＤＬ ＤＲＢ２を介してＱｏＳフローＩＤ＝１３を含むＤＬ ＳＤＡＰデータＰＤＵを受信すると、ＵＥはＡＳ−レベル反映式ＱｏＳ活性化指標及びＮＡＳ−レベル反映式ＱｏＳ活性化指標をチェックする。
【０１１３】
ＡＳ−レベル反映式ＱｏＳ活性化指標及びＮＡＳ−レベル反映式ＱｏＳ活性化指標が'１'に設定された場合、ＵＥはＱｏＳフローＩＤ＝１３にマッピングされたＵＬ ＤＲＢをＵＬ ＤＲＢ ２に設定し(＝ＡＳマッピング規則をアップデートする)、ＩＰフローＩＤ＝ｙｙｙにマッピングされたＵＬ ＱｏＳフローをＵＬ ＱｏＳフローＩＤ＝１３に設定する(＝ＮＡＳ反映式ＱｏＳ規則アップデート)。
【０１１４】
図１４は本発明の実施例によってＮＡＳ−レベル反映式ＱｏＳ及びＡＳ−レベル反映式ＱｏＳが活性化されなかった例を示す図である。
【０１１５】
ＰＤＵセクション設定の間、５ＧＣはＰＤＵセクションに関連するＱｏＳ規則をＵＥに送信し、パケットフィルターを除いたＱｏＳ規則をＮＧ−ＲＡＮに送信する。ＮＧ−ＲＡＮはＵＥに該当ＰＤＵセクションのデフォルトＤＲＢ設定のためのＲＲＣメッセージを送信する。ＲＲＣメッセージはＡＳマッピング規則のような幾つかの構成を含む。ＮＧ−ＲＡＮはＲＲＣメッセージに対する応答としてＵＥからＲＲＣメッセージを受信する。
【０１１６】
ＰＤＵセクション設定の間、ＵＥは５ＧＣからＰＤＵセクションに関連するＱｏＳ規則を受信し、ＮＧ−ＲＡＮからＰＤＵセクションに対するＡＳマッピング規則及びデフォルトＤＲＢ構成情報を受信する。また、ＵＥはこの受信されたＱｏＳ規則及びＡＳ−マッピング規則を貯蔵し、デフォルトＤＲＢを設定する。その後、ＱｏＳ規則を含むＮＡＳメッセージを受信するか又は反映式ＱｏＳ活性化を示すＤＬパケットを受信することにより、ＵＥはＱｏＳ規則をアップデートすることができる(Ｓ１４０１)。
【０１１７】
５ＧＣがＮＡＳ−レベル反映式ＱｏＳを活性化しないと決定する時、ＱｏＳマーキング及び反映式ＱｏＳ活性化指標を有するＤＬデータはＮＧ−ＲＡＮに送信される(Ｓ１４０３)。ＱｏＳマーキング及び反映式ＱｏＳ活性化指標はＮＧ−Ｕ上でカプセル化ヘッダ内で伝達され、これはｅ２ｅパケットヘッダを変更しない。
【０１１８】
上記受信したカプセル化ヘッダ内の反映式ＱｏＳ活性化指標が'０'であると、ＮＧ−ＲＡＮはＤＬ ＳＤＡＰヘッダのＮＡＳ−レベル反映式ＱｏＳ活性化指標を'０'に設定する(Ｓ１４０５)。
【０１１９】
ＮＧ−ＲＡＮがＡＳ−レベル反映式ＱｏＳを活性化しないと決定すると、ＮＧ−ＲＡＮはＤＬ ＳＤＡＰヘッダのＡＳ−レベル反映式ＱｏＳ活性化指標を'０'に設定する(Ｓ１４０７)。
【０１２０】
ＮＧ−ＲＡＮはＤＬパケットのＱｏＳフローをＡＳマッピング規則により定義されたＤＲＢにマッピングし、ＤＬ ＳＤＡＰデータＰＤＵをＤＲＢを介してＵＥに送信する(Ｓ１４０９)。
【０１２１】
この場合、ＤＬ ＳＤＡＰデータＰＤＵはＱｏＳレベルＩＤを排除し、ＡＳ−レベル反映式ＱｏＳ活性化指標及びＮＡＳ−レベル反映式ＱｏＳ活性化指標を含む。
【０１２２】
ＡＳ−レベル反映式ＱｏＳ活性化指標及びＮＡＳ−レベル反映式ＱｏＳ活性化指標が'０'に設定された場合、ＵＥはＵＬ ＡＳマッピング規則をアップデートせず、受信されたＤＬデータをＵＥの上位階層に伝達し、ＵＬ ＱｏＳ規則をアップデートしない(Ｓ１４１１)。
【０１２３】
図１５はＳ１４１１の段階に関する例を示す図である。
【０１２４】
ＤＬ ＤＲＢ２を介してＤＬ ＳＤＡＰデータＰＤＵを受信する時、ＵＥはＡＳ−レベル反映式ＱｏＳ活性化指標及びＮＡＳ−レベル反映式ＱｏＳ活性化指標をチェックする。
【０１２５】
ＡＳ−レベル反映式ＱｏＳ活性化指標及びＮＡＳ−レベル反映式ＱｏＳ活性化指標が'０'に設定された場合、上記ＵＬ ＡＳマッピング規則及びＵＬ ＱｏＳ規則は全く変更されない。
【０１２６】
図１６は本発明の実施例によってＮＡＳ−レベル反映式ＱｏＳのみが活性化された例を示す図である。
【０１２７】
ＰＤＵセクション設定の間、５ＧＣはＰＤＵセクションに関連するＱｏＳ規則をＵＥに送信し、パケットフィルターを除いたＱｏＳ規則をＮＧ−ＲＡＮに送信する。ＮＧ−ＲＡＮはＵＥに該当ＰＤＵセクションのデフォルトＤＲＢ設定のためのＲＲＣメッセージを送信する。ＲＲＣメッセージはＡＳマッピング規則のような幾つかの構成を含む。ＮＧ−ＲＡＮはＲＲＣメッセージに対する応答としてＵＥからＲＲＣメッセージを受信する。
【０１２８】
ＰＤＵセクション設定の間、ＵＥは５ＧＣからＰＤＵセクションに関連するＱｏＳ規則を受信し、ＮＧ−ＲＡＮからＰＤＵセクションに対するＡＳマッピング規則及びデフォルトＤＲＢ構成情報を受信する。また、ＵＥは上記受信したＱｏＳ規則及びＡＳ−マッピング規則を貯蔵し、デフォルトＤＲＢを設定する。その後、ＱｏＳ規則を含むＮＡＳメッセージを受信するか、又は反映式ＱｏＳ活性化を示すＤＬパケットを受信することにより、ＵＥはＱｏＳ規則をアップデートすることができる(Ｓ１６０１)。
【０１２９】
５ＧＣがＮＡＳ−レベルの反映式ＱｏＳを活性化すると決定すると、ＱｏＳマーキング及び反映式ＱｏＳ活性化指標があるＤＬデータがＮＧ−ＲＡＮに送信される(Ｓ１６０３)。ＱｏＳマーキング及び反映式ＱｏＳ活性化指標は、ＮＧ−Ｕ上でカプセル化ヘッダ内で伝達されるが、即ち、これはｅ２ｅパケットヘッダを変更しない。
【０１３０】
この受信されたカプセル化ヘッダ内の反映式ＱｏＳ活性化指標が'１'であると、ＮＧ−ＲＡＮはＤＬ ＳＤＡＰヘッダのＮＡＳ−レベル反映式ＱｏＳ活性化指標を'１'に設定する(Ｓ１６０５)。
【０１３１】
ＮＧ−ＲＡＮがＡＳ−レベル反映式ＱｏＳを活性化しないと決定すると、ＮＧ−ＲＡＮはＤＬ ＳＤＡＰヘッダのＡＳ−レベル反映式ＱｏＳ活性化指標を'０'に設定する(Ｓ１６０７)。
【０１３２】
ＮＧ−ＲＡＮはＤＬパケットのＱｏＳフローをＡＳマッピング規則により定義されたＤＲＢにマッピングし、ＤＬ ＳＤＡＰデータＰＤＵをＤＲＢを介してＵＥに送信する(Ｓ１６０９)。
【０１３３】
この場合、ＤＬ ＳＤＡＰデータＰＤＵはＡＳ−レベル反映式ＱｏＳ活性化指標及びＮＡＳ−レベル反映式ＱｏＳ活性化指標及びＱｏＳフローＩＤを含む。
【０１３４】
ＡＳ−レベル反映式ＱｏＳ活性化指標が'０'に設定され、ＮＡＳ−レベル反映式ＱｏＳ活性化指標が'１'に設定された場合、ＵＥはＵＬ ＡＳマッピング規則をアップデートせず、受信したＱｏＳフローＩＤ及びＤＬデータをＵＥの上位階層に伝達してＵＬ ＱｏＳ規則をアップデートする(Ｓ１６１１)。
【０１３５】
図１７はＳ１６１１の段階に関する例を示す図である。
【０１３６】
ＤＬ ＤＲＢ３を介してＱｏＳフローＩＤ＝１３を含むＤＬ ＳＤＡＰデータＰＤＵを受信すると、ＵＥはＡＳ−レベル反映式ＱｏＳ活性化指標及びＮＡＳ−レベル反映式ＱｏＳ活性化指標をチェックする。
【０１３７】
ＡＳ−レベル反映式ＱｏＳ活性化指標が'０'に設定され、ＮＡＳ−レベル反映式ＱｏＳ活性化指標が'１'に設定された場合、ＵＥはＩＰフローＩＤ＝ｙｙｙにマッピングされたＵＬ ＱｏＳフローをＵＬ ＱｏＳフローＩＤ＝１３に設定し(＝ＮＡＳ反映式ＱｏＳ規則をアップデートする)、ＵＬ ＡＳマッピング規則は全く変更されない。
【０１３８】
図１８は本発明の実施例によってＡＳ−レベル反映式ＱｏＳのみが活性化される例を示す図である。
【０１３９】
ＰＤＵセクション設定の間、５ＧＣはＰＤＵセクションに関連するＱｏＳ規則をＵＥに送信し、パケットフィルターを除いたＱｏＳ規則をＮＧ−ＲＡＮに送信する。ＮＧ−ＲＡＮはＵＥに該当ＰＤＵセクションのデフォルトＤＲＢ設定のためのＲＲＣメッセージを送信する。ＲＲＣメッセージはＡＳマッピング規則のような幾つかの構成を含む。ＮＧ−ＲＡＮはＲＲＣメッセージに対する応答としてＵＥからＲＲＣメッセージを受信する。
【０１４０】
ＰＤＵセクション設定の間、ＵＥは５ＧＣからＰＤＵセクションに関連するＱｏＳ規則を受信し、ＮＧ−ＲＡＮからＰＤＵセクションに対するＡＳマッピング規則及びデフォルトＤＲＢ構成情報を受信する。また、ＵＥは受信されたＱｏＳ規則及びＡＳ−マッピング規則を貯蔵し、デフォルトＤＲＢを設定する。その後、ＱｏＳ規則を含むＮＡＳメッセージを受信するか、又は反映式ＱｏＳ活性化を示すＤＬパケットを受信することにより、ＵＥはＱｏＳ規則をアップデートできる(Ｓ１８０１)。
【０１４１】
５ＧＣがＮＡＳ−レベル反映式ＱｏＳを活性化しないと決定すると、ＱｏＳマーキング及び反映式ＱｏＳ活性化指標があるＤＬデータがＮＧ−ＲＡＮに送信される(Ｓ１８０３)。ＱｏＳマーキング及び反映式ＱｏＳ活性化指標はＮＧ−Ｕ上でカプセル化ヘッダ内で伝達され、これはｅ２ｅパケットヘッダを変更しない。
【０１４２】
上記受信されたカプセル化ヘッダ内の反映式ＱｏＳ活性化指標が'０'であると、ＮＧ−ＲＡＮはＤＬ ＳＤＡＰヘッダのＮＡＳ−レベル反映式ＱｏＳ活性化指標を'０'に設定する(Ｓ１８０５)。
【０１４３】
ＮＧ−ＲＡＮがＡＳ−レベル反映式ＱｏＳを活性化すると決定すると、ＮＧ−ＲＡＮはＤＬ ＳＤＡＰヘッダのＡＳ−レベル反映式ＱｏＳ活性化指標を'１'に設定する(Ｓ１８０７)。
【０１４４】
ＮＧ−ＲＡＮはＤＬ パケットのＱｏＳフローをＡＳマッピング規則により定義されたＤＲＢにマッピングし、ＤＬ ＳＤＡＰデータＰＤＵをＤＲＢを介してＵＥに送信する(Ｓ１８０９)。
【０１４５】
この場合、ＤＬ ＳＤＡＰデータＰＤＵは、ＡＳ−レベル反映式ＱｏＳ活性化指標及びＮＡＳ−レベル反映式ＱｏＳ活性化指標及びＱｏＳフローＩＤを含む。
【０１４６】
ＡＳ−レベル反映式ＱｏＳ活性化指標が'１'に設定され、ＮＡＳ−レベル反映式ＱｏＳ活性化指標が'０'に設定された場合、端末はＵＬ ＡＳマッピング規則をアップデートし、端末の上位階層に下りリンクデータを伝達し、上りリンクＱｏＳ規則をアップデートしない(Ｓ１８１１)。
【０１４７】
図１９はＳ１８１１の段階に関する例を示す図である。
【０１４８】
ＤＬ ＤＲＢ２を介してＱｏＳフローＩＤ＝１３を含むＤＬ ＳＤＡＰデータＰＤＵを受信すると、ＵＥはＡＳ−レベル反映式ＱｏＳ活性化指標及びＮＡＳ−レベル反映式ＱｏＳ活性化指標をチェックする。
【０１４９】
ＡＳ−レベル反映式ＱｏＳ活性化指標が'１'に設定され、ＮＡＳ−レベル反映式ＱｏＳ活性化指標が'０'に設定された場合、ＵＥはＱｏＳフローＩＤ＝１３にマッピングされたＵＬ ＤＲＢをＵＬ ＤＲＢ２に設定し(＝ＡＳマッピング規則アップデートする)、ＱｏＳ規則は全く変わらない。
【０１５０】
図２０は、本発明の実施例に係る通信装置のブロック図である。
【０１５１】
図２０に示された装置は、上述したメカニズムを行うように適応されたユーザ装置(Ｕｓｅｒ Ｅｑｕｉｐｍｅｎｔ、ＵＥ)及び／又はｅＮＢであってもよいが、同じ作業を行う任意の装置であってもよい。
【０１５２】
図２０に示したように、装置は、ＤＳＰ(Ｄｉｇｉｔａｌ Ｓｉｇｎａｌ Ｐｒｏｃｅｓｓｏｒ)／マイクロプロセッサ１１０及びＲＦ(Ｒａｄｉｏ Ｆｒｅｑｕｅｎｃｙ)モジュール(送受信機；１３５)を含むこともできる。ＤＳＰ／マイクロプロセッサ１１０は、送受信機１３５に電気的に接続されて送受信機１３５を制御する。装置は、設計者の選択によって、電力管理モジュール１０５、バッテリ１５５、ディスプレイ１１５、キーパッド１２０、ＳＩＭカード１２５、メモリデバイス１３０、スピーカー１４５及び入力デバイス１５０をさらに含むこともできる。
【０１５３】
特に、図２０は、ネットワークから要求メッセージを受信するように構成された受信機１３５及びネットワークに送／受信タイミング情報を送信するように構成された送信機１３５を含む端末を示してもよい。このような受信機と送信機は送受信機１３５を構成できる。端末は、送受信機(受信機及び送信機、１３５)に接続されたプロセッサ１１０をさらに含むこともできる。
【０１５４】
また、図２０は、端末に要求メッセージを送信するように構成された送信機１３５及び端末から送受信タイミング情報を受信するように構成された受信機１３５を含むネットワーク装置を示してもよい。送信機及び受信機は送受信機１３５を構成することもできる。ネットワークは、送信機及び受信機に接続されたプロセッサ１１０をさらに含む。このプロセッサ１１０は、送受信タイミング情報に基づいて遅延(ｌａｔｅｎｃｙ)を計算することもできる。
【０１５５】
以上で説明された実施例は、本発明の構成要素と特徴が所定の形態で結合されたものである。各構成要素又は特徴は、別の明示的な言及がない限り、選択的なものとして考慮しなければならない。各構成要素又は特徴は、他の構成要素や特徴と結合されていない形態で実施されてもよい。また、一部の構成要素及び／又は特徴を結合して本発明の実施例を構成することもできる。本発明の実施例で説明される動作の順序は変更されてもよい。ある実施例の一部の構成や特徴は、他の実施例に含まれてもよく、又は、他の実施例の対応する構成又は特徴に置換されてもよい。特許請求の範囲において明示的な引用関係にない請求項を結合して実施例を構成したり、出願後の補正によって新たな請求項として含めたりすることができるということは明らかである。
【０１５６】
本発明の実施例において、基地局(ＢＳ)によって行われると説明された特定の動作は、上位ノードのＢＳによって行われてもよい。ＢＳを含む複数のネットワークノードで、ＭＳとの通信のために行われる様々な動作が、基地局によって行われるか、あるいは基地局以外の他のネットワークノードによって行われることは明らかである。「ｅＮＢ」は、「固定局(ｆｉｘｅｄ ｓｔａｔｉｏｎ)」、「ＮｏｄｅＢ」、「基地局(ＢＳ)」、アクセスポイントなどの用語に代替されてもよい。
【０１５７】
前述した実施例は、例えば、ハードウェア、ファームウェア、ソフトウェア又はこれらの組合せのような様々な手段によって具現されてもよい。
【０１５８】
ハードウェアの設定において、本発明の実施例に係る方法は、１つ以上のＡＳＩＣｓ(ａｐｐｌｉｃａｔｉｏｎ ｓｐｅｃｉｆｉｃ ｉｎｔｅｇｒａｔｅｄ ｃｉｒｃｕｉｔｓ)、ＤＳＰｓ(ｄｉｇｉｔａｌ ｓｉｇｎａｌ ｐｒｏｃｅｓｓｏｒｓ)、ＤＳＰＤｓ(ｄｉｇｉｔａｌ ｓｉｇｎａｌ ｐｒｏｃｅｓｓｉｎｇ ｄｅｖｉｃｅｓ)、ＰＬＤｓ(ｐｒｏｇｒａｍｍａｂｌｅ ｌｏｇｉｃ ｄｅｖｉｃｅｓ)、ＦＰＧＡｓ(ｆｉｅｌｄ ｐｒｏｇｒａｍｍａｂｌｅ ｇａｔｅ ａｒｒａｙｓ)、プロセッサ、コントローラ、マイクロコントローラ、マイクロプロセッサなどによって具現されてもよい。
【０１５９】
ファームウェアやソフトウェアによる具現の場合、本発明の一実施例は、以上で説明された機能又は動作を行うモジュール、手順、関数などの形態で具現されてもよい。ソフトウェアコードは、メモリユニットに格納され、プロセッサによって駆動され得る。前記メモリユニットは、前記プロセッサの内部又は外部に位置して、公知の様々な手段によって前記プロセッサとデータを交換することができる。
【０１６０】
本発明は、本発明の特徴を逸脱しない範囲内で他の特定の形態に具体化できるということは、当業者にとって自明である。従って、前記の詳細な説明は、全ての面で制限的に解釈してはならず、例示的なものとして考慮しなければならない。本発明の範囲は、添付の請求項の合理的解釈によって決定されなければならず、本発明の等価的範囲内での全ての変更は本発明の範囲に含まれる。
【産業上の利用可能性】
【０１６１】
以上の方法は、３ＧＰＰ ＬＴＥまたはＮＲシステムに適用される例示を中心に説明されたが、本発明は３ＧＰＰ ＬＴＥまたはNRシステムの他にも様々な無線通信システムに適用可能である。
【図１】
2020507976.tif 000003
【図２Ａ】
2020507976.tif 000004
【図２Ｂ】
2020507976.tif 000005
【図３】
2020507976.tif 000006
【図４Ａ】
2020507976.tif 000007
【図４Ｂ】
2020507976.tif 000008
【図５】
2020507976.tif 000009
【図６】
2020507976.tif 000010
【図７】
2020507976.tif 000011
【図８】
2020507976.tif 000012
【図９】
2020507976.tif 000013
【図１０】
2020507976.tif 000014
【図１１】
2020507976.tif 000015
【図１２】
2020507976.tif 000016
【図１３】
2020507976.tif 000017
【図１４】
2020507976.tif 000018
【図１５】
2020507976.tif 000019
【図１６】
2020507976.tif 000020
【図１７】
2020507976.tif 000021
【図１８】
2020507976.tif 000022
【図１９】
2020507976.tif 000023
【図２０】
2020507976.tif 000024
【手続補正書】
【提出日】令和1年8月1日(2019.8.1)
【手続補正１】
【補正対象書類名】特許請求の範囲
【補正対象項目名】全文
【補正方法】変更
【補正の内容】
【特許請求の範囲】
【請求項１】
無線通信システムで動作するユーザ端末(ＵＥ：ｕｓｅｒ ｅｑｕｉｐｍｅｎｔ)により行われる方法であって、
ＤＬデータ無線ベアラ(ＤＲＢ)を介して下りリンク(ＤＬ) ＳＤＡＰ(Ｓｅｒｖｉｃｅ Ｄａｔａ Ａｄａｐｔａｔｉｏｎ Ｐｒｏｔｏｃｏｌ)ＰＤＵ(Ｐｒｏｔｏｃｏｌ Ｄａｔａ Ｕｎｉｔ)を受信する段階であって、
前記ＤＬ ＳＤＡＰ ＰＤＵは、ＤＬデータに追加されたＤＬ ＳＤＡＰヘッダを含み、前記ＤＬ ＳＤＡＰヘッダは、（ｉ）ＱＦＩ（Ｑｕａｌｉｔｙ  ｏｆ  ｓｅｒｖｉｃｅ  Ｆｌｏｗ  Ｉｄｅｎｔｉｆｉｃａｔｉｏｎ）と、（ｉｉ）ＡＳ(Ａｃｃｅｓｓ Ｓｔｒａｔｕｍ)レベルに対するＱｏＳ(ｑｕａｌｉｔｙ ｏｆ Ｓｅｒｖｉｃｅ)フローに関連する第１指標と、(iii) ＮＡＳ(Ｎｏｎ Ａｃｃｅｓｓ Ｓｔｒａｔｕｍ)レベルに対するＱｏＳフローに関連した第２指標を含む、段階と、
前記第１指標が１に設定されることに基づいて、前記ＵＥのＳＤＡＰエンティティが、ＱｏＳフローと前記ＤＬ ＳＤＡＰ ＰＤＵのＤＲＢとの間のＤＬマッピング規則を、ＱｏＳフローとＵＬ送信に対するＤＲＢの間のＵＬマッピング規則として格納する段階と、  
前記第２指標が１に設定されることに基づいて、前記ＳＤＡＰが前記ＤＬ ＳＤＡＰ ＰＤＵのＱＦＩを前記ＵＥのＮＡＳ階層に知らせる段階とを含む、方法。
【請求項２】
前記第１指標又は前記第２指標の少なくとも１つが'１'に設定される状態において、前記ＤＬ ＳＤＡＰ ＰＤＵは前記ＱＦＩを含む、請求項１に記載の方法。
【請求項３】
前記第１指標及び前記第２指標が全て'０'に設定される状態において、前記ＤＬ ＳＤＡＰ ＰＤＵは前記ＱＦＩを含まない、請求項１に記載の方法。
【請求項４】
前記第１指標が'０'に設定されることに基づいて、前記ＤＬマッピング規則を前記ＵＬマッピング規則として格納しない段階をさらに含む、請求項１に記載の方法。
【請求項５】
前記第２指標が'０'に設定されることに基づいて、前記ＮＡＳ階層に前記ＱＦＩを知らせない段階をさらに含む、請求項１に記載の方法。
【請求項６】
前記ＵＥのＳＤＡＰエンティティは前記ＵＥのＰＤＣＰ(Ｐａｃｋｅｔ Ｄａｔａ Ｃｏｎｖｅｒｇｅｎｃｅ Ｐｒｏｔｏｃｏｌ)エンティティより上位階層である、請求項１に記載の方法。
【請求項７】
前記ＵＥのＳＤＡＰエンティティが上位階層からＵＬ ＳＤＡＰ ＰＤＵを受信する段階と、
前記ＮＡＳ階層に知らされた前記ＱＦＩ及び１に設定された前記第２指標に基づいて、前記ＵＬ ＳＤＡＰ ＰＤＵの中の前記ＱＦＩのＱｏＳフローをマーキングする段階と、
前記ＵＬマッピング規則として格納された前記ＤＬマッピング規則及び、１に設定された前記第１指標に基づいて、ＵＬ ＤＲＢを介して前記ＵＬ ＳＤＡＰ ＰＤＵを送信する段階とをさらに含む、請求項１に記載の方法。
【請求項８】
無線通信システムで動作するように構成されたユーザ端末(ＵＥ)であって、
無線周波数(ＲＦ)モジュールと、
少なくとも一つのプロセッサと、
前記少なくとも一つのプロセッサと動作的に結合され、前記少なくとも一つのプロセッサが実行された時、以下の動作を実行する指示を格納する少なくとも一つのメモリを含み、
前記ＲＦモジュールからＤＬデータ無線ベアラ(ＤＲＢ)を介して下りリンク(ＤＬ) ＳＤＡＰ(Ｓｅｒｖｉｃｅ Ｄａｔａ Ａｄａｐｔａｔｉｏｎ Ｐｒｏｔｏｃｏｌ)ＰＤＵ(Ｐｒｏｔｏｃｏｌ Ｄａｔａ Ｕｎｉｔ)を受信し、
前記ＤＬ ＳＤＡＰ ＰＤＵは、ＤＬデータに追加されたＤＬ ＳＤＡＰヘッダを含み、前記ＤＬ ＳＤＡＰヘッダは、（ｉ）ＱＦＩ（Ｑｕａｌｉｔｙ  ｏｆ  ｓｅｒｖｉｃｅ  Ｆｌｏｗ  Ｉｄｅｎｔｉｆｉｃａｔｉｏｎ）と、（ｉｉ）ＡＳ(Ａｃｃｅｓｓ Ｓｔｒａｔｕｍ)レベルに対するＱｏＳ(ｑｕａｌｉｔｙ ｏｆ Ｓｅｒｖｉｃｅ)フローに関連する第１指標と、(iii) ＮＡＳ(Ｎｏｎ Ａｃｃｅｓｓ Ｓｔｒａｔｕｍ)レベルに対するＱｏＳフローに関連した第２指標を含み、
前記第１指標が１に設定されることに基づいて、前記ＵＥのＳＤＡＰエンティティが、ＱｏＳフローと前記ＤＬ ＳＤＡＰ ＰＤＵのＤＲＢとの間のＤＬマッピング規則を、ＱｏＳフローとＵＬ送信に対するＤＲＢの間のＵＬマッピング規則として格納し、  
前記第２指標が１に設定されることに基づいて、前記ＳＤＡＰが前記ＤＬ ＳＤＡＰ ＰＤＵのＱＦＩを前記ＵＥのＮＡＳ階層に知らせる、ＵＥ。
【請求項９】
前記第１指標又は前記第２指標の少なくとも１つが'１'に設定される状態において、前記ＤＬ ＳＤＡＰ ＰＤＵは前記ＱＦＩを含む、請求項８に記載のＵＥ。
【請求項１０】
前記第１指標及び前記第２指標が全て'０'に設定される状態において、前記ＤＬ ＳＤＡＰ ＰＤＵは前記ＱＦＩを含まない、請求項８に記載のＵＥ。
【請求項１１】
前記動作は、前記第１指標が'０'に設定されることに基づいて、前記ＤＬマッピング規則を前記ＵＬマッピング規則として格納しないことをさらに含む、請求項８に記載のＵＥ。
【請求項１２】
前記動作は、前記第２指標が'０'に設定されることに基づいて、前記ＮＡＳ階層に前記ＱＦＩを知らせないことをさらに含む、請求項８に記載のＵＥ。
【請求項１３】
前記ＵＥのＳＤＡＰエンティティは前記ＵＥのＰＤＣＰ(Ｐａｃｋｅｔ Ｄａｔａ Ｃｏｎｖｅｒｇｅｎｃｅ Ｐｒｏｔｏｃｏｌ)エンティティより上位階層である、請求項８に記載のＵＥ。
【請求項１４】
前記動作はさらに、
前記ＵＥのＳＤＡＰエンティティが上位階層からＵＬ ＳＤＡＰ ＰＤＵを受信することと、
前記ＮＡＳ階層に知らされた前記ＱＦＩ及び１に設定された前記第２指標に基づいて、前記ＵＬ ＳＤＡＰ ＰＤＵの中の前記ＱＦＩのＱｏＳフローをマーキングすることと、
前記ＵＬマッピング規則として格納された前記ＤＬマッピング規則及び、１に設定された前記第１指標に基づいて、ＵＬ ＤＲＢを介して前記ＵＬ ＳＤＡＰ ＰＤＵを送信することをさらに含む、請求項８に記載のＵＥ。
【請求項１５】
前記ＵＥの前記ＳＤＡＰエンティティはＱｏＳフローとＤＲＢの間のルーティングを管理するように構成される、請求項１に記載の方法。
【請求項１６】
前記ＤＬマッピング規則が前記ＵＬマッピング規則として格納されていないことに基づいて、デフォールトマッピング規則を前記ＵＬマッピング規則として利用する段階をさらに含む、請求項７に記載の方法。
【請求項１７】
前記ＤＬ ＳＤＡＰ ＰＤＵのＱＦＩは、前記ＤＬ ＳＤＡＰ ＰＤＵが関連するＱｏＳフローを特定する、請求項１に記載の方法。
【国際調査報告】
2020507976.tif 000025
2020507976.tif 000026